(57)【要約】  【課題】  ＳＩＭコネクタの開閉の操作性を損なうことなく、落下等の大きな衝撃によるコネクタロック嵌合外れを防止することができると共に、新たなロック操作を必要とすることなく、またロックの掛け忘れの心配もないＳＩＭコネクタの二重ロック構造を提供する。  【解決手段】  ＳＩＭカードを収容する蓋部とこの蓋部に回動自在にヒンジ結合されたベース部を有するＳＩＭコネクタを、通信端末の本体ケース内に装填し、この装填されたＳＩＭコネクタ上から電池パックを押圧挿入することにより通信機能を実現するものにおいて、上記電池パックの押圧力により上記ＳＩＭコネクタのヒンジ部近傍に形成される、ベース部と蓋部とからなる空間に係止部材を圧入することによりＳＩＭコネクタをロックするようにしたもの。  【選択図】図２
2005258915.tif 000002
【特許請求の範囲】
【請求項１】
ＳＩＭカードを収容する蓋部とこの蓋部に回動自在にヒンジ結合されたベース部を有するＳＩＭコネクタを、通信端末の本体ケース内に装填し、この装填されたＳＩＭコネクタ上から電池パックを押圧挿入することにより通信機能を実現するものにおいて、上記電池パックの押圧力により上記ＳＩＭコネクタのヒンジ部近傍に形成される、ベース部と蓋部とからなる空間に係止部材を圧入することによりＳＩＭコネクタをロックするようにしたことを特徴とするＳＩＭコネクタのロック装置。
【請求項２】
上記ＳＩＭコネクタは、ＳＩＭカードを挿入した前記蓋部をヒンジ回転し上記ベース部に収容した後、前記蓋部を上記ベース部に対しＳＩＭカードの反挿入方向へ移動させることにより前記ヒンジ部で蓋部をロック状態となるようにしたことを特徴とする請求項１記載のＳＩＭコネクタのロック装置。
【請求項３】
上記ＳＩＭコネクタのベース部と蓋部とからなる空間は、上記本体ケース内に設けられた基板上にＳＩＭコネクタを装填し、上記ＳＩＭコネクタの蓋部をロックした状態で上記基板との間で形成されることを特徴とする請求項１あるいは２に記載のＳＩＭコネクタのロック装置。
【請求項４】
前記係止部材は、上記ＳＩＭコネクタのヒンジ部近傍であって上記基板と本体ケースの電池パック収容部との間に収容され、上記本体ケースの電池パック収容部に形成された開口部から上記収容部側へその一部が突出するへ字状の板バネから構成されたことを特徴とする請求項１記載のＳＩＭコネクタのロック装置。
【請求項５】
前記係止部材は、上記ＳＩＭコネクタのヒンジ部近傍であって上記基板と本体ケースの電池パック収容部との間に収容され、上記本体ケースの電池パック収容部に形成された開口部から上記収容部側へその一端が突出するテコから構成されたことを特徴とする請求項１記載のＳＩＭコネクタのロック装置。
【請求項６】
前記係止部材は、電池パックの一面に形成され、上記ＳＩＭコネクタのベース部と蓋部とからなる空間に嵌入する突起部から構成されたことを特徴とする請求項１に記載のＳＩＭコネクタのロック装置。
【発明の詳細な説明】
【技術分野】
【０００１】
この発明は、ＳＩＭコネクタのロック装置に関し、特にＳＩＭコネクタの二重ロック構造に関するものである。
【背景技術】
【０００２】
携帯電話や情報端末機等のＳＩＭ(SubscriberIdentity Module)機器、ＰＯＳシステムや料金徴収ターミナル等のＳＡＭ機器(Secure Access Module)においては、ＳＩＭカードと呼ばれるＩＣチップを装填することにより、所望の通信機能を実現できるＳＩＭコネクタが普及している。従来のこの種ＳＩＭコネクタには、特許文献１の図１に示すようなスライドイン方式と、特許文献１の図２に示すようなヒンジ方式とが存在し、ＳＩＭ接続端子のロック構造についてもそれぞれ独自の方式が採用されている。
すなわち、スライドイン方式のＳＩＭコネクタにおいては、特許文献１に示すように、プラグインＳＩＭ（ＳＩＭカード）を装着したＳＩＭトレイをコンタクトベース内に挿入し、ＳＩＭトレイの端部に設けられたストッパーによってコンタクトベースに嵌め合い固定されるものである。
【０００３】
また、ヒンジ方式のＳＩＭコネクタにおいては、図５（ａ）及び図５（b）に示すように、ベース部１にヒンジ結合された蓋部２にＳＩＭカード４を挿入し、ベース部１内に回転・収容させた後、蓋部２を矢印Ｂの方向に移動させることによりヒンジ部３の回転突部６が凹部５の略中央部に有する突起７を超えてロックされる構造となっている。ロック状態で上記ベース部１の接続端子（図示せず）とＳＩＭカード４との間に圧力が加わり電気的接続が保持されるものである。なお、図６は図５（b）に示したＳＩＭコネクタ１１のＡ−Ａ線断面図を示している。
【０００４】
しかし、このようなロック構造では、通信端末の落下等により大きな衝撃が加わった際に、蓋部２が矢印Ｂと反対方向に移動してロックが外れ、ＳＩＭカードが認識されなくなる等の問題が発生していた。また、ロックが外れないようにコネクタ自身のロック保持力を大きくすると、コネクタ開閉の操作性が悪くなるといった問題もあった。
【０００５】
【特許文献１】特開平８−８７５８２号公報
【発明の開示】
【発明が解決しようとする課題】
【０００６】
この発明は、上記のような問題点を解消するためになされたもので、ＳＩＭコネクタの開閉の操作性を損なうことなく、落下等の大きな衝撃によるコネクタロック嵌合外れを防止することができると共に、新たなロック操作を必要とすることなく、またロックの掛け忘れの心配もないＳＩＭコネクタの二重ロック構造を提供するものである。
【課題を解決するための手段】
【０００７】
この発明は、ＳＩＭカードを収容する蓋部とこの蓋部に回動自在にヒンジ結合されたベース部を有するＳＩＭコネクタを、通信端末の本体ケース内に装填し、この装填されたＳＩＭコネクタ上から電池パックを押圧挿入することにより通信機能を実現するものにおいて、上記電池パックの押圧力により上記ＳＩＭコネクタのヒンジ部近傍に形成される、ベース部と蓋部とからなる空間に係止部材を圧入することによりＳＩＭコネクタをロックするようにしたものである。
【発明の効果】
【０００８】
本発明によると、ＳＩＭコネクタ自身のカードロック構造に加えて、端末本体側におけるロック構造を付加して二重ロックが掛かるように構成したので、コネクタの開閉操作の性能を損なうことなく、また新たなロック操作を必要とすることなく、確実にコネクタロック外れを防止することができる効果を有する。
【発明を実施するための最良の形態】
【０００９】
実施の形態１.  
以下、図面を参照して、本発明の実施例について述べる。
図１は携帯電話機にＳＩＭコネクタを組み込んだ実施形態であって、図は携帯電話機裏面の電池カバー１４及び電池パック１３を外した状態を示している。図１において、１０は携帯電話機の本体部分で、電池カバー１４を外して電池パック１３を取り出すと、本体基板１２に装着された、図６で説明したＳＩＭコネクタ１１が見える。ＳＩＭコネクタ１１は上述したようにヒンジ部３でロックが掛かっており、このロックにより端子とＳＩＭカードとの正常なコンタクトが取られカードが認識される状態となっている。
【００１０】
図２は図１のＢ−Ｂ線断面図で、この発明の最初の実施形態を示すものである。図２(a)は電池パック１３を外した状態、図２(b)は電池パック１３を装填した状態で、携帯電話機本体のケース１５の中央部に敷設された基板１２にＳＩＭコネクタ１１が装着されている。
図２(a)において、ケース１５の電池パック収容部１５aのＳＩＭコネクタ１１近傍には開口部を有し、この開口部に一部が突出するように前記基板１２との間で板バネ１６を介挿している。上記板バネ１６は予めへ字状に成型された金属板で、突出部を上部から押圧されることにより伸長し、上記押圧力を除去すると元の形状に復元する程度の剛性を有するものである。従って、図２(b)のように電池パック１３を上部から装填することにより、上記板バネ１６は変形しその端部がＳＩＭコネクタ１１のベース部１と蓋部２からなるヒンジ部３近傍の空間（図６のＸ部参照）に入り込み、ベース部の端部に当接してこれを保持するものである。なお、電池パック１３を取り外すことにより、上記板バネ１６は元の位置に復元するものである。
【００１１】
従って、携帯電話機本体の落下等により大きな衝撃が加わった際においても、上記空間部Ｘでの板バネ１６の存在により蓋部２が矢印Ｂと反対方向に移動してロックが外れるようなことがなくなるものである。
以上のようにこの発明の実施の形態１によれば、ＳＩＭコネクタ自身のヒンジ部分のロックに加えて、携帯電話機本体への電池パック装着に連動して本体との間でロックが掛かることになり、ＳＩＭコネクタの二重ロック構造が実現することになる。
【００１２】
実施の形態２.
図３は、この発明の実施の形態２によるＳＩＭコネクタの二重ロック構造を示しており、実施の形態１は板バネを用いたものを示したが、実施の形態２はテコを用いた例を示している。
図３は図１のＢ−Ｂ線断面図で、図３(a)は電池パック１３を外した状態、図３(b)は電池パック１３を装填した状態を示す。実施の形態１と異なる部分を中に説明すると、図３(a)に示すように、ケース１５の電池パック収容部１５aのＳＩＭコネクタ１１近傍には開口部を有し、この開口部から基板１２の一部に設けられた孔部に向かってテコ１７を嵌入している。基板１２の裏面にはシールド板１８が形成され、シールド板１８の一部には上記テコ１７の端部を係止するリブ部１９が形成されている。
【００１３】
このテコ１７は例えば剛性の高い金属からなり、図３(b)のように電池パック１３を上部から装填することにより、上記テコ１７はリブ部１９への当接面を支点にして傾き、その先端部がＳＩＭコネクタ１１のベース部１と蓋部２からなるヒンジ部３近傍の空間（図６のＸ部参照）に入り込み、ベース部の端部に当接してこれを保持するものである。なお、電池パック１３を取り外すことにより、上記テコ１７は元の位置に復元するものである。
従って、携帯電話機本体の落下等により大きな衝撃が加わった際においても、上記空間部Ｘでのテコ１７の存在により蓋部２が矢印Ｂと反対方向に移動してロックが外れるようなことがなくなるものである。
以上のようにこの発明の実施の形態２によれば、ＳＩＭコネクタ自身のヒンジ部分のロックに加えて、携帯電話機本体への電池パック装着に連動して本体との間でロックが掛かることになり、ＳＩＭコネクタの二重ロック構造が実現することになる。
【００１４】
実施の形態３.
図４は、この発明の実施の形態３によるＳＩＭコネクタの二重ロック構造を示しており、電池パック１３の裏面に設けられた突起を用いたものである。
図４(a)は、携帯電話機本体の表面から見た電池カバー１４及び電池パック１３を取り外した状態を示している。電池パック１３の裏面には２個の突起２０が設けられ、電池パック１３を本体に装填したときに、図４(b)のように上記突起２０が上述したＳＩＭコネクタ１１のベース部１と蓋部２からなるヒンジ部３近傍の空間（図６のＸ部参照）に嵌入し、ベース部１の端部に当接してこれを保持するものである。
【００１５】
従って、携帯電話機本体の落下等により大きな衝撃が加わった際においても、上記空間部Ｘでの突起２０の存在により蓋部２が矢印Ｂと反対方向に移動してロックが外れるようなことがなくなるものである。
以上のようにこの発明の実施の形態３によれば、ＳＩＭコネクタ自身のヒンジ部分のロックに加えて、携帯電話機本体への電池パック装着に連動して本体との間でロックが掛かることになり、ＳＩＭコネクタの二重ロック構造が実現することになる。
また、この実施の形態３によれば、電池パック自体に設置されている突起が電池パック装着と同時にＳＩＭコネクタのロック手段として働くので、他の実施形態のように板バネ、テコ等の独立した部品が不要となり組み立て作業が簡単になると共に本体ケースの設計ならびに保守点検が容易化されるものである。
以上のようにこの発明の各実施の形態によれば、電池パック装着と連動してＳＩＭコネクタのロック構造が実現する効果を有するほか、コネクタの開閉操作の性能を損なうことなく、また新たなロック操作を必要とすることなく、確実にコネクタロック外れを防止することができる効果も併せ有する。
【図面の簡単な説明】
【００１６】
【図１】携帯電話機にＳＩＭコネクタを組み込んだ実施形態を示す図であって、携帯電話機裏面の電池カバー及び電池パックを取り外した状態を示している。
【図２】図１のＢ−Ｂ線断面図で、この発明の実施の形態１によるＳＩＭコネクタの二重ロック構造を示しており、図２(a)は電池パックを外した状態、図２(b)は電池パックを装填した状態を示している。
【図３】図１のＢ−Ｂ線断面図相当の実施の形態２によるＳＩＭコネクタの二重ロック構造を示しており、図３(a)は電池パックを外した状態、図３(b)は電池パックを装填した状態を示している。
【図４】この発明の実施の形態３によるＳＩＭコネクタの二重ロック構造を示しており、図４(a)は携帯電話機表面の電池カバー及び電池パックを取り外した状態を示しており、図４(b)は電池パックを装填した状態の図１のＢ−Ｂ線断面図の相当図を示している。従来の表形式プログラムの一例を示す図である。
【図５】ヒンジ方式のＳＩＭコネクタを示し、図５(a)は蓋部を開放した状態、図５(b)は蓋部を閉成した状態を示している。
【図６】図５(b)のＡ−Ａ線断面図である。
【符号の説明】
【００１７】
１     ベース部                          ２   蓋部
３     ヒンジ部                          ４   ＳＩＭカード
１１     ＳＩＭコネクタ                  １２   基板     
１３     電池パック                      １４   電池カバー
１５     ケース                          １６   板バネ   
１７     テコ                            ２０   突起
【図１】
2005258915.tif 000003
【図２】
2005258915.tif 000004
【図３】
2005258915.tif 000005
【図４】
2005258915.tif 000006
【図５】
2005258915.tif 000007
【図６】
2005258915.tif 000008